(57)【要約】【課題】  編集対象の原稿画像に対して直接マーキングせずに編集範囲を容易に指定でき、かつ処理時間の短縮化を図り、トナー消費量の抑制、利用者による誤セットによるミスプリントの減少などを可能とする画像編集装置を提供すること。【解決手段】  原稿Ｄの編集対象画像が形成された編集対象面Ｄａと、その裏面の、マーキング画像Ｍの形成された裏面Ｄｂと、を読み取る第１、第２画像読取装置３、４と、該編集対象面Ｄａと裏面Ｄｂの画像の画像データを生成する画像処理部９と、該裏面Ｄｂの画像データに基づき該編集対象面Ｄａの画像データを編集する編集処理手部１３と、を備える。編集処理部１３は、前記裏面Ｄｂにおけるマーキング画像Ｍの位置から前記編集対象画像の内の編集エリアＥＡに関する中心座標（ＸＭ、ＹＭ）を獲得する。【選択図】  図６
2006148803.tif 000002
【特許請求の範囲】
【請求項１】
原稿の編集対象画像である第１の画像が形成された第１面を読み取る第１の画像読取手段と、
前記第１面の裏面の、第２の画像の形成された第２面を読み取る第２の画像読取手段と、
前記第１、第２面の画像から第１、第２の画像データを生成する画像処理手段と、
前記第２の画像データに基づき、前記第１の画像データを編集する編集処理手段と、を備える画像編集装置であって、
前記編集処理手段は、前記第２面における前記第２の画像の位置から前記第１の画像の内の編集領域に関する編集位置情報を獲得することを特徴とする画像編集装置。
【請求項２】
前記第２の画像は、編集内容毎に異なる画像であり、
前記編集処理手段は、前記第２の画像から前記第１の画像の編集内容を獲得することを特徴とする請求項１に記載の画像編集装置。
【請求項３】
前記第１の画像を編集する編集内容を入力する入力手段を有し、
前記編集処理手段は、前記第２の画像データと前記編集内容に基づき、前記第１の画像データを編集することを特徴とする請求項１に記載の画像編集装置。
【請求項４】
前記第２の画像は、前記編集領域の裏面側に形成されていることを特徴とする請求項１乃至３のいずれかに記載の画像編集装置。
【請求項５】
前記第２の画像は、前記編集領域の中心位置を示す情報であることを特徴とする請求項１乃至４のいずれかに記載の画像編集装置。
【請求項６】
前記第２の画像は、前記編集領域の中心位置上に形成されていることを特徴とする請求項４に記載の画像編集装置。
【請求項７】
画像データを記憶する記憶手段を備えており、
前記第１の画像が前記第２の画像よりも先に読み取られる場合には、前記第１の画像データを前記記憶手段に記憶することを特徴とする請求項１乃至６のいずれかに記載の画像編集装置。
【請求項８】
前記第２の画像が前記第１の画像よりも先に読み取られる場合には、前記画像処理手段で生成された前記第１の画像データを読取手段に記憶せずに前記編集処理手段にて編集することを特徴とする請求項１乃至７のいずれかに記載の画像編集装置。
【請求項９】
前記第２の画像が前記第１の画像よりも先に読み取られる場合には、前記画像読取手段は該第１の画像の一部のみの読み取りを行うことを特徴とする請求項１乃至８のいずれかに記載の画像編集装置。
【請求項１０】
前記画像読取手段は、前記第１面の読取時と前記第２面の読取時で読み取り解像度が異なることを特徴とする請求項１乃至９のいずれかに記載の画像編集装置。
【発明の詳細な説明】
【技術分野】
【０００１】
本発明は、原稿上の一部の領域の画像データに対して編集処理を行う画像編集装置に関する。
【背景技術】
【０００２】
従来、デジタル型モノクロ／カラー複写機により原稿上の指定された画像領域について色変換、トリミング、反転等の各種画像処理（編集機能）を施して出力する画像編集装置が知られている（第１の従来技術、例えば、特許文献１参照）。
【０００３】
上記編集機能の処理では、まず、原稿上の編集対象部分に直接マーキングを行うことで編集するべきエリアを指定した後に該原稿の読み取りを実行し、そのマーカによってエリア指定された領域を検出し、該検出エリアに限定して「指定範囲削除」「指定範囲抽出コピー」「指定範囲網掛け」「指定範囲カラー変換」「ネガ・ポジ反転」などの編集加工を実行している。エリア指定に利用するマーカペンには、モノクロ複写機においては、原稿の画像濃度より薄く読み取れるマーカペンや、カラー複写機においては、原稿の画像色と異なる色情報を有するカラーマーカペンや、原稿の画像反射率と異なる情報を有する蛍光マーカペンなどが多く用いられている。
【０００４】
また、原稿に直接のマーキングをせずに、原稿の画像データと方眼枠データ等の補助情報とを合成した画像データを仮出力紙として出力し、その仮出力紙にマーキングを行い、そのマーキング情報を読み取り、先に読み取った画像データに編集加工を行うような手法が報告されている（第１の従来技術、例えば、特許文献２参照）。
【特許文献１】特開平５−３４４３１４号公報
【特許文献２】特開平７−７４９２７号公報
【発明の開示】
【発明が解決しようとする課題】
【０００５】
しかしながら、上記第１の従来技術の方法では、原稿上に直接マーキングする必要があるため、原稿を汚してしまうという問題点があった。そのため、保存しておきたい原稿の場合には、別にコピーを取っておく必要があり、無駄な作業、書類の増加等の原稿管理において問題があった。
【０００６】
また、原稿上には画像とマーカ部分が混在するため、画像データ中からそのマーカ部分を検出するエリア指定検出手段が新規に必要となり、処理回路の負担が生じる。さらには、原稿上に直接マーキングする必要があるため、画像データとマーカ部分のデータが混在し、編集目的以外で書かれたマーカ部分でも編集対象エリアとして判断してしまい、必要外の編集を行ってしまう場合なども考えられるなどの問題点もあった。
【０００７】
さらには、原稿の画像データ情報と選択するマーカペンに制約があるため、編集加工ができる原稿が限定されるという問題点があった。
【０００８】
一方、第２の従来技術では、一度、仮出力紙を出力する必要があるため、トナー消費量が増大してしまうという問題点があった。また、画像編集加工を行うために、仮出力紙として出力する処理、仮出力紙にマーキングを行う処理、マーキングされた仮出力紙を再読込みする処理など、処理時間の長期化という問題点があった。また、マーキングされた仮出力紙を再読込みする際に、利用者が誤って原稿をセットした場合には、処理をやり直す必要があるなどの問題があった。
【０００９】
本発明は、上記従来の問題点に鑑みてなされたものであり、編集対象の原稿画像に対して直接マーキングせずに編集範囲を容易に指定でき、かつ処理時間の短縮化を図り、トナー消費量の抑制、利用者による誤セットによるミスプリントの減少などを可能とする画像編集装置を提供することを目的とする。
【課題を解決するための手段】
【００１０】
本発明の第１の要旨は、原稿の編集対象画像である第１の画像が形成された第１面を読み取る第１の画像読取手段と、前記第１面の裏面の、第２の画像の形成された第２面を読み取る第２の画像読取手段と、前記第１、第２面の画像から第１、第２の画像データを生成する画像処理手段と、前記第２の画像データに基づき、前記第１の画像データを編集する編集処理手段と、を備える画像編集装置であって、前記編集処理手段は、前記第２面における前記第２の画像の位置から前記第１の画像の内の編集領域に関する編集位置情報を獲得することを特徴とする。
【００１１】
本発明の第２の要旨は、前記第２の画像は、編集内容毎に異なる画像であり、前記編集処理手段は、前記第２の画像から前記第１の画像の編集内容を獲得することを特徴とする要旨１に記載の画像編集装置である。
【００１２】
本発明の第３の要旨は、前記第１の画像を編集する編集内容を入力する入力手段を有し、前記編集処理手段は、前記第２の画像データと前記編集内容に基づき、前記第１の画像データを編集することを特徴とする要旨１に記載の画像編集装置である。
【００１３】
本発明の第４の要旨は、前記第２の画像は、前記編集領域の裏面側に形成されていることを特徴とする要旨１乃至３のいずれかに記載の画像編集装置である。
【００１４】
本発明の第５の要旨は、前記第２の画像は、前記編集領域の中心位置を示す情報であることを特徴とする要旨１乃至４のいずれかに記載の画像編集装置である。
【００１５】
本発明の第６の要旨は、前記第２の画像は、前記編集領域の中心位置上に形成されていることを特徴とする要旨４に記載の画像編集装置である。
【００１６】
本発明の第７の要旨は、画像データを記憶する記憶手段を備えており、前記第１の画像が前記第２の画像よりも先に読み取られる場合には、前記第１の画像データを前記記憶手段に記憶することを特徴とする要旨１乃至６のいずれかに記載の画像編集装置である。
【００１７】
本発明の第８の要旨は、前記第２の画像が前記第１の画像よりも先に読み取られる場合には、前記画像処理手段で生成された前記第１の画像データを読取手段に記憶せずに前記編集処理手段にて編集することを特徴とする要旨１乃至７のいずれかに記載の画像編集装置である。
【００１８】
本発明の第９の要旨は、前記第２の画像が前記第１の画像よりも先に読み取られる場合には、前記画像読取手段は該第１の画像の一部のみの読み取りを行うことを特徴とする要旨１乃至８のいずれかに記載の画像編集装置である。
【００１９】
本発明の第１０の要旨は、前記画像読取手段は、前記第１面の読取時と前記第２面の読取時で読み取り解像度が異なることを特徴とする要旨１乃至９のいずれかに記載の画像編集装置である。
【発明の効果】
【００２０】
第１の要旨によれば、編集処理手段は、編集画像を形成した裏面側に形成された第２の画像を読み込むことで、編集する第１の画像の内の編集位置を特定できる。従って、編集する原稿面に対して直接マーキングする必要が無くなり、原稿の汚れを防止できる。また、編集する原稿画像の複写を取る必要も無いので、トナー消費量の抑制を図り、寿命の低下を防止できる。
【００２１】
第２の要旨によれば、編集処理手段は、編集画像を形成した裏面側に形成された第２の画像を読み込むことで、編集する第１の画像の内の編集位置と編集内容を決定でき、ユーザーの編集処理を効率化できる。
【００２２】
第３の要旨によれば、編集内容を入力手段より入力する構成とすることで、細かな編集内容を規定できる。
【００２３】
第４の要旨によれば、ユーザーは簡単に編集領域の設定ができる。
【００２４】
第５の要旨によれば、第２の画像を編集領域の基準となる中心位置の情報とすることで、第２の画像より第１の画像の画像編集領域の中心位置を特定できる。従って、第１の画像の画像編集領域の特定が容易となる。
【００２５】
第６の要旨によれば、第２の画像を編集領域の基準となる中心位置上に形成することで、第２の画像より第１の画像の画像編集領域の中心位置を特定できる。従って、第１の画像の画像編集領域の特定が容易となる。
【００２６】
第７の要旨によれば、記憶手段に記憶した第１の画像データを編集処理手段が編集するため、あらゆる画像編集機能を実現できる。また、第２の画像を後から読み取っている途中で不具合が発生しても、リカバリー処理が円滑に行えて、トータルの処理時間を短縮できる。
【００２７】
第８の要旨によれば、第１の画像データを記憶手段に記憶せずに画像編集機能を実現するため、処理時間を短縮できる。また、画像データを記憶するのに必要な記憶領域を他の処理用に利用することが可能となり、機器性能が向上する。
【００２８】
第９の要旨は、前記第２の画像を先に読み取ることで、編集機能（編集内容）や編集位置を特定できるため、その編集内容に使用する第１の画像のみを読み取れば編集処理手段は編集処理を実行できる。従って、読み取りをユーザーが所望する画像編集機能に必要十分な領域のみを読み取ることにより、画像編集機能を実現するための処理時間を短縮できる。また、読取手段を効率良く使用できるため、マシン寿命の低下を防止できる。
【００２９】
第１０の要旨は、第２の画像は第１の画像の編集内容や編集位置を特定するための簡単なマーク等であり、複写等の対象でもないので、その読み取り時には解像度を上記特定可能な範囲まで下げることができる。従って、第１面の読取解像度に比較して第２面の読取解像度を下げることができ、第２面の読取時間を短縮できる。よって、その後の画像編集機能を実現するための処理時間を短縮できる。また、画像読取手段を効率良く使用できるため、マシン寿命の低下を防止できる。
【発明を実施するための最良の形態】
【００３０】
本発明の実施の形態について図面を参照して説明する。尚、以下の実施の形態及び実施例は、本発明を具体化した一例であって、本発明の技術的範囲を限定する性格のものではない。
【００３１】
図１は、本発明の実施の形態に係る画像編集装置としてのデジタル（カラー）複合機１の概略縦断面図である。図１は、特に、デジタル複合機１の原稿画像の読み込み処理を実行する第１、第２画像読取装置３，４とシート上へ画像形成処理を実行する画像形成装置５とを示しており、始めに第１、第２画像読取装置３，４と画像形成装置５について説明する。
【００３２】
＜第１画像読取装置３＞
第１画像読取装置３は、図１の上方よりシート給送部３ａと光学系３ｂとを備えて構成されており、複写機やファクシミリ装置のスキャナ装置として用いられ、原稿の片面（表面：編集画像形成面）を読み取りを可能とする構成である。以下、詳細に説明する。
【００３３】
＜シート給送部３ａ＞
シート給送部３ａは、デジタル複合機１の奥側（図１の紙面奥側）にて、光学系３ｂとの間に設けられたヒンジ（図示せず）を回動支点として、上方に回動するようになっている。これにより、第１画像読取装置３では、紙面手前側から、原稿台ｂ１の上面を開放できるようになっており、搬送できないブック物の原稿等を原稿台にセットできるようになっている。
【００３４】
シート給送部３ａは、自動的に原稿を光学系３ｂの読み取り部に搬送、排出するものであり、原稿載置用の原稿トレイ（シート載置部）ａ１と、原稿トレイａ１上の原稿の有無を検知する原稿検出器ａ２と、原稿トレイａ１上の原稿を１枚ずつ取り込むピックアップローラａ３と、１枚の原稿（シート）だけを搬送するために対向する給紙ローラａ４と分離ローラａ５と、搬送方向を略１８０度（１８０度含む）変える湾曲搬送路ａ６と、画像の読み取りタイミングに合わせて原稿台ｂ１上に向けて原稿を搬送レジストローラａ８と、搬送レジストローラ３ａ８よりも原稿搬送方向上流側には設けてレジストローラａ７による搬送原稿の有無を検知する原稿搬送タイミング検出器ａ７と、前記原稿台ｂ１上の原稿を搬送するための原稿搬送手段（ベルト）ａ９と、読み取り後の原稿を収容するシート排出部ａ１０と、を有している。
【００３５】
前記湾曲搬送路ａ６は、あらゆる種類の原稿の安定供給をメーカーが保証できる曲率となっており、読み取り可能な原稿の内、最も厚い、すなわち最も腰のある原稿を円滑に搬送できる曲率となっている。
【００３６】
原稿搬送手段ａ９はベルトに限らず、原稿を搬送可能なものであればよく、例えばローラであってもよい。
【００３７】
原稿トレイａ１上に載置された原稿（１枚又は積層状態）は、原稿検出器ａ２で検出されると共にピックアップローラａ３により１枚ずつ取り込まれ、給紙ローラａ４と分離ローラａ５により１枚の原稿（シート）だけが湾曲搬送路ａ６に送り込まれ、画像を読み取るタイミングに合わせてレジストローラａ８より原稿台ｂ１上に向けて原稿が搬送される。
【００３８】
レジストローラａ８からの原稿は、原稿搬送手段ａ９により読み取り位置まで搬送、載置され、表面（第１面）の画像の読み取り終了後、原稿搬送手段ａ９によりシート排出部ａ１０に送り出される。
【００３９】
＜光学系３ｂ＞
光学系３ｂは、原稿を載置する原稿台（プラテンガラス）ｂ１と、原稿台ｂ１を介して原稿を照射し、且つ、その原稿からの反射光を受光する光源ユニットｂ２と、該反射光を受光、電気信号に変換するＣＣＤ読取りユニットｂ３と、該光源ユニットｂ２から読み取りユニットｂ３まで反射光を導くミラーユニットｂ４と、光源ユニットｂ２の位置を検出するための光源ユニット検出器ｂ５と、を有している。
【００４０】
光源ユニットｂ２は、光源ｃ１と、その光源ｃ１からの読み取り用の照明光を前記原稿台ｂ１上の所定の読み取り位置に集光するミラーｃ２と、原稿からの反射光のみを通過させるスリットｃ３と、前記スリットｃ３を通過した光の光路を９０°変更するミラーｃ４とを備えている。
【００４１】
ＣＣＤ読取りユニットｂ３は、読み取り手段であるＣＣＤ（Charge Coupled Device）であり、結像レンズｄ１およびＣＣＤイメージセンサｄ２などを備えて構成される。
【００４２】
前記ミラーユニットｂ４は、前記光源ユニットｂ２からの光の光路を１８０度変更する一対のミラーｅ１，ｅ２を備えて構成されている。前記光源ユニットｂ２の速度をＶとすると、ミラーユニットｂ４はＶ／２の速度で、矢符Ａ方向（副走査方向）に変位してゆくことによって、原稿画像を読み取ることができる。
【００４３】
光学系３ｂは、原稿台（プラテンガラス）ｂ１上に載置され、平面支持された原稿の画像を、光源ユニットｂ２およびミラーユニットｂ４によって、固定位置に設けられた前記ＣＣＤ読取りユニットｂ３に結像し、読み取りを行う。
【００４４】
第１画像読取装置３では原稿が原稿台ｂ１上に載置され、停止した状態でその画像を読み取る原稿固定モードと、原稿を搬送しながらその画像を読み取る原稿搬送モードとを有している。
【００４５】
原稿固定モードでは、光源ユニットｂ１は、図１中の読み取り開始位置Ｐｏｓ１の位置からＰｏｓ２の位置の方向に、図１に図示しない原稿サイズ検出器等で検出されたサイズに応じて所定距離だけ移動しつつ、光源ｃ１やＣＣＤｄ２を駆動し、原稿の表面（下側）の画像を読み取る。上記光源ユニットｂ１の移動に伴ってミラーユニットｂ４も副走査方向Ａに移動する。上記光源ユニットｂ１、ミラーユニットｂ４の移動は、ステッピングモータ等の図示しない走査モータによって行っている。また、光源ユニットｂ１の開始位置Ｐｏｓ１の特定は光源ユニット検出器ｂ５よって検出される。
【００４６】
一方、原稿搬送モードの場合は、図示しない前記走査モータを停止させた状態で光源ｃ１やＣＣＤｄ２を駆動させた状態で原稿を一定の速度で搬送させながら画像の読み取りを行う。すなわち、光源ユニットｂ１を図１のＰｏｓ１の位置で停止させ、原稿を搬送させながら読み取りを行う。
【００４７】
尚、光学系３ｂとしては原稿の画像を読み取れる構成であればよく、上記構成に限定するものではない。例えば、ＣＣＤ読取りユニット３ｂは、少なくともＣＣＤイメージセンサｄ２、結像レンズｄ１および光源ｃ１を一つのユニットに構成した縮小読取光学系または等倍読取光学系のユニットを所定速度Ｖで走査させる構造でもよい。
【００４８】
＜第２画像読取装置４＞
第２画像読取装置４は、上記シート給送部３ａと光学系３ｃを備えて構成されており、複写機やファクシミリ装置のスキャナ装置として用いられ、原稿の片面の画像の読み取りを可能とする構成である。以下、詳細に説明する。尚、シート給送部３ａは上記第１画像読取装置３と共通のものを使用しているので説明は省略する。
＜光学系３ｃ＞
光学系３ｃは、前記光学系３ｂが読み取る原稿の裏面側を読み取るための光学系である。本実施の形態では、原稿を原稿トレイａ１からシート排出部ａ１０までの原稿搬送路を係る原稿搬送方向に沿って搬送する間に、原稿を該原稿搬送方向と逆方向に搬送することなしに両面画像の読み取り可能とするために、光学系３ｃの該原稿搬送路に対する照射光の向きは光学系３ｂの該原稿搬送路に対する照射光の向きが反対方向としている。
【００４９】
光学系３ｃは、上記条件を満たすために前記シート給送部３ａ内に設けられている。そして、前記シート給送部３ａ内の狭い取り付けスペース内に取り付けることを考慮して等倍読取光学系を用いており、露光ランプ（ＬＥＤアレイ、蛍光灯等）、画素毎に、原稿反射光を集光するセルフォックレンズアレイ、及びセルフォックアレイを通じて受光した原稿の反射光を光電変換してアナログの画像信号を出力する密着イメージセンサ（ＣＩＳ；Contact Image Sensor）を用いているが、光学系３ｂと同様に縮小読取光学系を用いてもよい。
【００５０】
光学系３ｃは、光学系３ｂの読み取り開始位置Ｐｏｓ１の位置に近い、シート搬送上流側に設けているがそれに限定するものではない。本実施形態では、光学系３ｃは原稿の編集画像の形成された表面の裏面（第２面）側を読み取る構成としているが、それに限定するものではない。ただし、本実施形態の構成に示すように、表面の画像読み取りに先駆けて裏面（第２面）側の画像読み取りを開始することで、後述するように表面の画像の不要な読み取りを省略できる場合があり、処理時間を短縮できる。
【００５１】
上記構成により、原稿を原稿トレイａ１からシート排出部ａ１０まで搬送する間に、第１、第２画像読取装置３，４（シート給送部３ａ、光学系３ｂ、３ｃ）により原稿を読み取ることで両面画像の読み取りが可能となる。
【００５２】
＜画像形成装置５＞
前記光学系３ｂ、３ｃにて読み取られた画像データは、所定の画像処理、編集処理が施された後に画像形成装置５に入力され、トナーを用いてシート上に複写、再現され、排出される。尚、画像データの画像処理や編集処理をかかる画像形成装置５内で行っても良く、また、光学系３ｂにて読み取られた画像データや、所定の画像処理や編集処理を行った画像データをメモリに一旦記憶し、出力指示に応じてメモリ内の画像を読出する構造とできることはいうまでもない。
【００５３】
画像形成装置５は、その装置内部の制御を司る制御部５ａと、画像データに基づいてレーザを照射する光書込み装置であるレーザ書込みユニット５ｂと、該レーザを照射される感光体ドラム５ｃと、該感光体ドラム５ｃを所定の電位に帯電させる帯電器５ｄ、感光体ドラム５ｃ上に形成された静電潜像にトナーを供給してカラーの顕像化する複数個の現像器５ｅ（図面では１つのみ記載）、感光体ドラム５ｃ表面に形成されたトナー像をシートに転写する転写器（転写チャージャ等）５ｆ、感光体ドラム５ｃ表面を除電する除電器（除電チャージャ等）５ｇ、余分なトナーを回収するクリーニング器５ｇと、を備えている。帯電器５ｄ、現像器５ｅ、転写器５ｆ、除電器５ｇ及びクリーニング器５ｈは、感光体ドラム５ｃの周囲に係るドラム５ｃの回転方向に従って前記記載の順番に配置されている（図１参照）。
【００５４】
レーザ書込みユニット５ｂは、メモリから読出した画像データ、または外部の装置から転送されてきた画像データに応じてレーザ光を出射する半導体レーザ光源、レーザ光を等角速度偏向するポリゴンミラー、等角速度で偏向されたレーザ光が感光体ドラム５ｃ上において等角速度で偏向されるように補正するｆ−θレンズなどをから構成されている。なお、本実施例では、書込み装置としてレーザ書込みユニットを用いているが、ＬＥＤやＥＬ等の発光素子アレイを用いた固体走査型の光書込みヘッドユニットを用いてもよい。
【００５５】
また、画像形成装置５は、感光体ドラム５ｃから分離された画像が転写されたシートに対してトナー画像をシートに定着させる定着ユニット５ｉを備えている。定着ユニット５ｉは、一対のローラからなり、該ローラ内に熱源を設け、該一対のローラ間をシートが通過する間にトナー画像とシートに熱を付与することで定着を行う。
【００５６】
さらに、画像形成装置５は、定着ユニット５ｉの排出側に、シートの裏面に再度画像を形成するためにシートの前後を反転させるスイッチバック路５ｊ、排紙ローラ５ｋ、画像が形成（定着）されたシートに対してステープル処理等を行うとともに昇降トレイを有する後処理装置５ｌを備えている。
【００５７】
画像形成装置５の給紙部は、上記転写器５ｆ、除電器５ｇの下方に配設されており、本体に備えられた手差トレイ５ｍ，両面ユニット５ｎ，用紙トレイ５ｏと多段給紙部５ｐに備えられた給紙トレイ５ｐ１，５ｐ２で構成されている。また、これらのトレイ５ｍ，５ｏ，５ｐ１，５ｐ２から給紙したシートを転写器５ｆが配置された転写位置へと搬送する搬送手段５ｑを備えている。両面ユニット５ｎは、シートを反転させるスイッチバック路５ｊに通じており、シートの両面に画像形成を行う時に用いられる。なお両面ユニット５ｎは通常の用紙カセットと交換可能な構成となっており、両面ユニット５ｎを通常の用紙カセットに置き換えた構成とすることも可能となっている。
【００５８】
上記構成により、トレイ５ｍ，５ｏ，５ｐ１，５ｐ２のいずれかよい給紙されたシートは転写器５ｆが配置された転写位置へと搬送され、該転写位置にて該感光体ドラム５ｃ上に形成されたトナー画像が該搬送されたシート上に転写され、定着ユニット５ｉにてトナー画像がシート上に定着された後に、必要に応じてスイッチバック路５ｊと両面ユニット５ｎを経て排紙ローラ５ｋにて後処理装置５ｌへと導かれ、ここで所定の後処理が施された後、排出される。
【００５９】
また、図示していないがシートを数千枚収納可能な大容量給紙トレイを装着することもできる。
【００６０】
尚、画像形成装置５の構成ではトナーを用いて用紙上に複写を行う場合を説明したが、本願発明を適用できる画像形成装置はシート上に画像を形成できる装置であればよく、上記構成に限定するものではなく、例えば、インク等を用いてシート上に複写を行う構成、装置であっても良い。
【００６１】
上記デジタル複合機１ではカラー複写機について説明したが、モノクロ複写機であってもよいことはいうまでもない。
【００６２】
＜編集方法＞
本実施の形態では、編集を希望する原稿の編集対象面（第１面）の裏面（第２面）に、該編集対象面の内で編集を行うべき編集エリア（編集範囲）に関する編集位置情報を示す。係る構成とすることで、原稿の編集対象面には編集のための書き込みがなされないために、編集対象面を汚すなどの問題を解決でき、且つ、編集対象面のコピーを撮るなどの余計な処理、不要なコピーの発生を抑制できる。特に、原稿の裏面側に編集エリアの指定に用いるマーク以外の画像を形成しない構成とすることで、該マークと原稿画像とを区別する処理が必要なくなり、編集処理のミスなども防げる。
【００６３】
前記裏面に付与する編集エリアに関する編集位置情報に用いるマーク方法は、編集エリア全体を実線や破線等によりマークする場合と、該編集エリアの中心位置等一部の基準位置をマークする方法がある。
【００６４】
編集エリア中の基準位置をマークする場合としては、編集エリアの中心位置のみをマークする場合や、２点指定、４点指定などを利用しても良い。以下、編集エリアの中心位置のみをマークする場合について説明する。
【００６５】
図６（１）はマーキング画像Ｍを付した裏面（第２面）を示し、（２）はマーキング画像Ｍの拡大図であり、（３）は編集対象面の編集前後を示している。
編集エリアの指定方法は、図６に示すように原稿Ｄの裏面Ｄｂのうち、編集対象面Ｄａの編集エリア（編集領域）ＥＡの中心点（ＸＭ，ＹＭ）（編集位置情報：基準位置）の裏面位置（Ｘｍ，Ｙｍ）（編集位置情報：基準位置）に所定マーキング画像Ｍを付与しておき、操作パネル部７を介して中心点（ＸＭ，ＹＭ）（又は（Ｘｍ，Ｙｍ））を中心とした編集エリアＥＡの指定型、走査方向（Ｘ，Ｙ）に関する大きさ（ＲＸ，ＲＹ）を入力することで行われる。以下、上記編集処理を実行する構成、処理内容について具体的に説明する。
【００６６】
＜デジタル複合機１＞
図２は、本発明の実施の形態に係る画像編集装置としてのデジタル複合機１の概略ブロック図である。本実施形態では編集対象面Ｄａを読み取る画像装置を予め特定（設定）しても、特定しなくてもよい。そこで、始めに編集対象面Ｄａを読み取る専用画像読取装置を予め特定した場合を図３、図４を参照しつつ説明し、次に、編集対象面Ｄａを読み取る専用画像読取装置を特定しない場合を図３、図５を参照して説明する。
【００６７】
デジタル複合機１は、その全体を制御する制御部２と、前記第１、第２画像読取装置３，４と、該第１、第２画像読取装置３、４と制御部２との間に設けた画像読取インタフェース３Ａ、４Ａと画像読取制御部３Ｂ，４Ｂと、前記画像形成装置５と、該画像形成装置５と制御部２との間に設けた画像出力インタフェース５Ａと画像出力制御部５Ｂと、操作パネル部７と、該操作パネル部７と制御部２との間に設けたパネルインタフェース７Ａとパネル制御部７Ｂと、画像処理部９と、画像エリア検出部１１と、画像編集部１３と、画像記録部１５と、を有している。
【００６８】
＜専用画像読取装置を特定する場合＞
画像読取制御部３Ｂ，４Ｂは、制御部２からの制御信号に基づき、画像読取インタフェース３Ａ，４Ａを介して第１、第２画像読取装置３，４（図１，２）から編集対象原稿Ｄの両面Ｄａ，Ｄｂ（図５）の画像読取データを取得できる（図３のステップＳ１）。
【００６９】
パネル制御部７Ｂは、操作パネル部７から画像編集条件（編集内容）をパネルインタフェース７Ａを介して受け取り、制御部２に送信し、また、制御部２からの指令に基づきユーザーへの報知情報を操作パネル部７に表示させる。また、操作パネル部７は、編集対象面Ｄａの専用画像読取装置を第１画像読取装置３と設定するのに用いられる。
【００７０】
画像編集条件は、ユーザーが操作パネル部７を通じて入力する。画像編集条件は、編集内容、例えば、指定範囲削除、指定範囲抽出コピー、指定範囲網掛け、指定範囲カラー変換、指定範囲ネガ・ポジ変換、指定範囲拡大／縮小などを指定するためのエリア指定モード、または、編集を行わないことを示すエリア指定無しモードである。編集（エリア指定）モードでは、エリア指定の型、長さ、倍率を指定でき、詳細については後述する。尚、操作パネル部７は、外付け装置による指定も可能である。
【００７１】
画像処理部９は、第１、第２画像読取装置３、４から入力された編集対象面Ｄａ、裏面Ｄｂの各画像データに画像処理を施し、デジタルの画像データに変換する（図３のステップＳ２、Ｓ５）。編集対象面Ｄａの画像データは、画像記憶部１５に記憶される（図３のステップＳ３）。一方、裏面Ｄｂの画像データは画像記憶部１５に記憶されずにエリア検出部１１でのエリア検出処理がなされる（ステップ７）。
【００７２】
画像記憶部１５は、ＳＤＲＡＭ、ＤＩＭＭ、ＳＲＡＭ、ハードディスクなどが使用でき、特に限定するものではない。
【００７３】
エリア検出部１１は、第２画像読取装置４から入力された裏面Ｄｂの画像データからマーキング画像Ｍの有無判断を行う。マーキング画像Ｍがある場合には、マーキング画像Ｍの原稿読取り開始位置である裏面Ｄｂの（Ｘｏ，Ｙｏ）に対する中心位置（基準位置）（Ｘｍ，Ｙｍ）を検出する。係る中心位置（Ｘｍ，Ｙｍ）の裏面側が編集対象面Ｄａの編集エリアＥＡの基準となる。エリア検出部１１は、中心位置（Ｘｍ，Ｙｍ）に基づき、編集対象面Ｄａの原稿読取り開始位置（ＸＯ，ＹＯ）に対する編集エリアＥＡの中心位置（基準位置）（ＸＭ，ＹＭ）および編集領域ＥＡを決定する（図３のステップＳ７）。尚、光学系３ｂが原稿搬送モードの場合には（ＸＭ，ＹＭ）＝（Ｘｍ，Ｙｍ）となるが、光学系３ｂが原稿固定モードの場合、光学系３ｂによる表面の原稿読み取りと光学系３ｃによる裏面の原稿読み取りでは、読み取り開始位置が副走査方向に関して反転するため、原稿Ｄの副走査方向の長さをＤＹとする（ＸＭ，ＹＭ）＝（Ｘｍ，ＤＹ−Ｙｍ）の関係となるが、読み取り位置の変更等により、（ＸＭ，ＹＭ）＝（Ｘｍ，Ｙｍ）とすることもできる。
【００７４】
一方、画像記憶部１５に記憶された編集対象面Ｄａの画像データは、前記エリア検出処理は行われずに、画像編集部１３の画像編集処理に用いられる。
【００７５】
画像編集部１３は、ユーザーにより設定された前記画像編集条件とエリア検出部１１で得られた結果により、画像記憶部１５に記憶された編集対象面Ｄａの画像データに対して、画像編集処理を施し、出力データ（印字データ）を作成する（図３のステップＳ８）。
【００７６】
画像出力制御部５Ｂは、画像出力インタフェース５Ａを介して画像形成装置５（図１，２）へ出力データ（印字データ）を送り、画像形成装置５により編集画像を出力する（図３のステップＳ９）。画像形成装置５はコピー出力装置として説明したが、スキャナ出力装置、ＦＡＸなどでもよい。従って、画像形成装置の編集画像の出力形式としては、シート上に形成する場合に限定されず、表示装置に表示したり、送信回線（有線、無線を含む）を通じて転送する等も含む。
【００７７】
図４のフローチャートに従って、より詳細に原稿の編集を行うエリア指定モード（編集モード）が指示された場合における原稿編集処理の処理過程を説明する。
【００７８】
まず、画像読取制御部３Ｂ、４Ｂは、原稿検出器ａ２（図１）の検出出力に基づいて、原稿が原稿トレイａ１（図１）に載置されるのを待機している（ステップＳ１１で「Ｎｏ」）。そして、原稿が原稿トレイａ１（図１）に載置されると（ステップＳ１１で「Ｙｅｓ」）、画像読取制御部３Ｂ，４Ｂは、原稿Ｄの読取準備を開始する。
【００７９】
次に、予めユーザーにより操作パネル部７で設定された指定型、指定長、指定倍率、エリア指定モードなどの画像編集条件を取得する（ステップＳ１２）。エリア指定モードには、指定範囲の削除、指定範囲のみを抽出してコピー、指定範囲を網掛け、指定範囲のカラー変換、指定範囲の表示をネガ・ポジ変換、指定範囲の拡大、指定範囲の縮小、或はエリア指定無しの８つの選択肢がある。
【００８０】
次に、画像読取制御部３Ｂ，４Ｂは、原稿Ｄの読取開始の指示を待ち（ステップＳ１３で「Ｎｏ」）、スタートキー（図示せず）の押下により原稿Ｄの読取開始が指示されると（ステップＳ１３で「Ｙｅｓ」）、原稿Ｄの読取処理を開始する。
【００８１】
原稿Ｄは、図６に示すように、予め、編集対象面Ｄａの編集エリアＥＡの中心点（ＸＭ，ＹＭ）の裏面側部分（基準位置）（Ｘｍ，Ｙｍ）にマーカペンでマーキング画像Ｍを付加することが前提となる。マーカペンの種類は特定しない。
【００８２】
本実施形態では、第２画像読取装置４が第１画像読取装置３よりも原稿搬送方向上流側に位置してあるので、第２画像読取装置４の裏面Ｄｂの読み取りが第１画像読取装置３による編集対象面Ｄａよりも先行して読み取りが実行される（ステップＳ１４、１５）。
【００８３】
第２画像読取装置４と第１画像読取装置３の画像データは画像処理部９にて画像処理を施した後、画像記憶部１５に記憶される（ステップＳ１６）。
【００８４】
一方、裏面Ｄｂの画像データは、読み取りと並行してエリア検出部１１にてマーキング画像Ｍの中心位置（基準位置）（Ｘｍ，Ｙｍ）の認識が行われる（ステップＳ１７）。
【００８５】
マーキング画像Ｍの中心位置（基準位置）（Ｘｍ，Ｙｍ）が認識された場合（ステップＳ１７で「Ｙｅｓ」）、裏面Ｄｂの読み取りを停止し（ステップＳ１８）、該マーキング画像Ｍと画像編集条件により、画像記憶部１５に記憶された編集対象面Ｄａの画像データの編集を開始する。
【００８６】
画像編集条件（編集モード）が編集対象面Ｄａの全体の読み取りの完了を必要とする場合には、編集対象面Ｄａ全体の読み取り終了後にその編集が開始されるが、編集モードが編集対象面Ｄａの一部分を編集する場合であって既に画像記憶部１５に記憶されている場合には、編集対象面Ｄａの読み取りを途中で終了し、画像データの編集に移り、編集した画像を画像記憶部１５に記憶し（ステップＳ１９）、該画像記憶部１５に記憶された編集後の画像データは、画像出力制御部５Ｂより画像形成装置５へ出力データ（印字データ）として出力される（ステップＳ２０）。
【００８７】
一方、マーキング画像Ｍが認識されない場合（ステップＳ１７で「Ｎｏ」で）には、裏面Ｄｂ全面の読み取りが完了した否かが判断され（ステップＳ１８）、完了していなければ読み取りの継続とともにマーキング画像Ｍの認識を繰り返す（ステップＳ１７、１８）。
【００８８】
裏面Ｄｂ全面の読み取りが完了してもマーキング画像Ｍが認識されない場合（ステップＳ２１で「Ｙｅｓ」で）には、編集モードを中断し、例えば操作パネル７に設けた図示しない表示部にマーキング画像Ｍが認識不能等の警告を表示する（ステップＳ２２）。
【００８９】
上記のように、予め、いずれの面から読み込みを行うかの順番を操作パネル部７にて設定しておくことで、編集対象面Ｄａとマーキング画像Ｍを付した裏面Ｄｂの認識処理を効率的にでき、編集対象面Ｄａの削除されるべき画像や裏面Ｄｂのマーキング画像Ｍ以降等の不要な画像の読み取りを無くすことができ、また、記憶手段への不要な格納を省略することができ、制御部１７等の画像処理の負担の軽減、処理の高速化、効率化を実現できる。
【００９０】
また、裏面Ｄｂの読み取りを編集対象面Ｄａの読み取りよりも先行させることで、マーキング画像Ｍを早めに検出でき、更に、編集対象面Ｄａの不要な画像の読み取りを無くすことができ、画像処理手順の高速化、効率化を実現できる。
【００９１】
次に、編集対象面Ｄａを読み取る専用画像読取装置を特定しない場合を図３、図５を参照して説明する。尚、前記図３，４と同一構成には同一符号を付してその説明を省略し、図３，４との相違点を中心に説明する。
【００９２】
＜専用画像読取装置を特定しない場合＞
専用画像読取装置を特定しない場合には、編集対象面Ｄａを第１、第２画像読取装置３，４の何れが読み取るのかが不明なために、第１、第２画像読取装置３，４から読み取られ両画像データが画像記憶部１５に記憶され（図３のステップＳ３、Ｓ６）、且つ、エリア検出部１１にてマーキング画像Ｍの有無判断がなされ、中心位置（基準位置）（Ｘｍ，Ｙｍ）、編集エリアＥＡの中心位置（基準位置）（ＸＭ，ＹＭ）および編集領域ＥＡが決定される（図３のステップＳ４，Ｓ７）。
【００９３】
画像編集部１３は、ユーザーにより設定された前記画像編集条件とエリア検出部１１で得られた結果により、画像記憶部１５に記憶された編集対象面Ｄａの画像データに対して、画像編集処理を施し、出力データ（印字データ）を作成する（図３のステップＳ８）。
【００９４】
画像出力制御部５Ｂは、画像出力インタフェース５Ａを介して画像形成装置５（図１，２）へ出力データ（印字データ）を送り、画像形成装置５により編集画像を出力する（図３のステップＳ９）。
【００９５】
図５を参照しつつ、編集対象面Ｄａの専用画像読取装置を設定しない場合の原稿編集を説明する。尚、図４と同一ステップには同一符号を付し、詳細な説明を省略する。
【００９６】
ステップＳ１０からステップＳ１５までは上記図４と共通する。そして、図４の場合には、編集対象面Ｄａの画像データについてのみ画像処理部９にて画像処理を施した後、画像記憶部１５に記憶していたが（図４のステップＳ１６）、図５の場合には第１、第２画像読取装置３、４の双方の読み取った画像データを画像処理部９にて画像処理を施した後、画像記憶部１５に記憶する（ステップＳ１６ａ，Ｓ１６ｂ）。
【００９７】
そして、第１、第２画像読取装置３、４の両読取画像データは、前記画像記憶部１５に記憶するのと並行してエリア検出部１１にてマーキング画像Ｍの基準位置の認識が行われ（ステップＳ１７ａ）、その基準位置が認識された場合には第１面が編集対象面Ｄａか否かが判断される（ステップＳ１７ｂ）。
【００９８】
ステップＳ１７ｂにて第１面が編集対象面Ｄａと判断された場合には、第２画像読取装置４による裏面Ｄｂの読み取り及び画像記憶部１５への記憶を停止する（ステップＳ１８ａ）。そして、マーキング画像Ｍと画像編集条件により、画像記憶部１５に記憶された編集対象面Ｄａの画像データの編集を開始し、編集した画像を画像記憶部１５に記憶し（ステップＳ１９）、該画像記憶部１５に記憶された編集後の画像データは、画像出力制御部５Ｂより画像形成装置５へ出力データ（印字データ）として出力される（ステップＳ２０）。
【００９９】
ステップＳ１７ｂにて第２面が編集対象面Ｄａと判断された場合には、第１画像読取装置３による裏面Ｄｂの読み取り及び画像記憶部１５への記憶を停止する（ステップＳ１８ｂ）。そして、マーキング画像Ｍと画像編集条件により、画像記憶部１５に記憶された編集対象面Ｄａの画像データの編集を開始し、編集した画像を画像記憶部１５に記憶し（ステップＳ１９）、該画像記憶部１５に記憶された編集後の画像データは、画像出力制御部５Ｂより画像形成装置５へ出力データ（印字データ）として出力される（ステップＳ２０）。
【０１００】
一方、マーキング画像Ｍの基準位置が認識されない場合（ステップＳ１７ａで「Ｎｏ」で）には、両面の読み取りが完了した否かが判断され（ステップＳ２１ａ）、完了していなければ読み取りの継続とともにマーキング画像Ｍの認識を繰り返す（ステップＳ１７ａ）。
【０１０１】
両面の読み取りが完了してもマーキング画像Ｍが認識されない場合（ステップＳ２１ａで「Ｙｅｓ」で）には、編集モードを中断し、例えば操作パネル７に設けた図示しない表示部にマーキング画像Ｍが認識不能等の警告を表示する（ステップＳ２２）。
【０１０２】
＜エリア検出処理＞
図６は、エリア検出処理を模式的に表した図であり、編集モードの一例を示している。図７は、基準位置の認定処理におけるエリア検出処理過程（図４、５、ステップＳ１７、Ｓ１７ａ）のフローチャートである。図８は、エリア検出処理過程のうち、マーキング画像の中心位置を算出する処理過程（図７、ステップＳ４２）を詳細に説明したフローチャートである。図９は、エリア検出処理過程のうち、編集対象面の画像データの画像編集条件を調整する処理過程（図７、ステップＳ４４）を詳細に説明したフローチャートである。
【０１０３】
＜マーキング画像の中心位置算出＞
まず、マーキング画像Ｍの原稿読取開始位置（Ｘｏ、Ｙｏ）および編集対象面Ｄａの画像データの原稿読取開始位置（ＸＯ、ＹＯ）を図示しない記憶部に記憶する（ステップＳ４１）。
【０１０４】
次に、マーキング画像Ｍの中心位置を算出する（ステップＳ４２）。
【０１０５】
マーキング画像Ｍの有無を判断し、マーキング画像Ｍの中心点（Ｘｍ，Ｙｍ）を算出する一例を図６に示す。算出手段としては、主走査方向Ｘのデータを検知し、その主走査方向Ｘの連続データをカウント（Ｘｃｎｔ）し、カウント値Ｘｃｎｔがある閾値以上を満足するラインをマーカラインとし、このマーカラインを副走査方向に関してカウント（Ｙｃｎｔ）する。
【０１０６】
主走査方向Ｘに関するマーキング検知データの平均画素位置Ｘｍ、および副走査方向Ｙに関するマーカカウントライン平均値Ｙｍをマーキング画像Ｍの中心点（Ｘｍ，Ｙｍ）とする。
【０１０７】
ただし、本算出手段は一例であり、マーキング画像Ｍの形状、サイズは限定するものではない。また、マーキング画像Ｍの検知手段としては、濃度・輝度を利用しても良い。また、本実施形態によれば、編集エリアの検出にマーキング画像Ｍの中心点を利用したが、これに限定するものではなく、前記したように２点指定、４点指定などを利用しても良い。
【０１０８】
マーキング画像の中心位置を算出する処理手順について、図６、８を参照しつつ説明する。
【０１０９】
まず、主走査方向エリア画素カウンタ（Ｘｃｎｔ）、副走査方向エリアラインカウンタ（Ｙｃｎｔ）を初期化し（ステップＳ５１）、マーキング画像Ｍが付加されている原稿面Ｄｂの１ライン分を読取開始する（ステップＳ５２）。主走査方向エリア開始位置座標（Ｘｓ）についても初期化する（ステップＳ５３）。
【０１１０】
次に、マーキング画像Ｍがあるか否かを判断し（ステップＳ５４）、マーキング画像Ｍがある場合は（ステップＳ５４で「Ｙｅｓ」）、主走査方向エリア画素カウンタ（Ｘｃｎｔ）を１カウントだけ加算する（ステップＳ５５）。最初にマーキング画像Ｍを検知した場合のみ（ステップＳ５６で「Ｙｅｓ」）、主走査方向エリア開始位置座標（Ｘｓ）を記憶部に記憶する（ステップＳ５７）。
【０１１１】
次に、１ライン分の全データを読取完了したか否かを判断し（ステップＳ５８）、１ライン分の全データを読取完了していない場合は（ステップＳ５８で「Ｎｏ」）、マーキング画像Ｍがあるか否かを判断する処理から同じ処理を繰り返す（ステップＳ５４）。１ライン分の全データを読取完了した場合は（ステップＳ５８で「Ｙｅｓ」）、主走査方向エリア画素カウンタ（Ｘｃｎｔ）がある閾値（ＭＡＲＫ）以上か否かを判断する処理へ移行する（ステップＳ５９）。例えば、マーキング画像Ｍの原稿面Ｄｂを読取解像度１００ｄｐｉ（dot／inch）で読み取る場合、５（mm）以上をマーキング画像とするとして、ＭＡＲＫ＝２０画素(dots)とするなどの方法が考えられる。
【０１１２】
本実施の形態では、予め、原稿面のどちらの面にマーキング画像Ｍが付与されているかを操作パネル部１にて設定しておくことによって（前記専用画像読取装置を特定する場合）、裏面Ｄｂの画像データの読取解像度を編集対象面Ｄａの画像データの読取解像度より低解像度で読むことも可能となり、処理速度を速めるなど処理の効率化を図ることができる。ただし、これに限定するものではなく、同じ読取解像度で読み取るようにしても、原稿面の指定を行わなくても良い。
【０１１３】
主走査方向エリア画素カウンタ（Ｘｃｎｔ）が閾値（ＭＡＲＫ）未満の場合は（ステップＳ５９で「Ｎｏ」）、マーキング画像は存在しないものと判定し、全ライン読取完了したか否かを判断する処理へ移行する（ステップＳ６４）。
【０１１４】
主走査方向エリア画素カウンタ（Ｘｃｎｔ）が閾値（ＭＡＲＫ）以上の場合は（ステップＳ５９で「Ｙｅｓ」）、マーキング画像Ｍが存在するものと判定し、副走査方向エリアラインカウンタ（Ｙｃｎｔ）を１カウントだけ加算する（ステップＳ６０）。最初にマーキング画像Ｍが存在するものと判断した場合のみ（ステップＳ６１で「Ｙｅｓ」）、副走査方向エリア開始位置座標（Ｙｓ）を記憶部に記憶する（ステップＳ６２）。
【０１１５】
次に、１ラインにおける主走査方向エリア中心座標（Ｘｓｎ）を算出し、記憶部に記憶する（ステップＳ６３）。ここで、ｎ＝Ｙｃｎｔであり、主走査方向エリア中心座標（Ｘｓｎ）は（Ｘｓｎ＝Ｘｓ＋Ｘｃｎｔ／２）より算出する。
【０１１６】
次に、全ライン読取完了したか否かを判断し（ステップＳ６４）、全ライン読取完了していない場合は（ステップＳ６４で「Ｎｏ」）、１ライン分を読取開始する処理から同じ処理を繰り返す（ステップＳ５２）。全ライン読取完了した場合は（ステップＳ６４で「Ｙｅｓ」）、マーキング画像Ｍの中心座標（Ｘｍ、Ｙｍ）を算出し、記憶部に記憶する（ステップＳ６５）。ここで、ｎ＝Ｙｃｎｔであり、マーキング画像の主走査方向エリア中心座標（Ｘｍ）は（Ｘｍ＝（Ｘｓ１＋Ｘｓ２＋・・・＋Ｘｓｎ）／２）より算出する。マーキング画像の副走査方向エリア中心座標（Ｙｍ）は（Ｙｍ＝Ｙｓ＋Ｙｃｎｔ／２）より算出する。
【０１１７】
＜編集エリアの中心座標算出＞
次に、マーキング画像Ｍの読取解像度と編集対象面Ｄａの画像データの読取解像度の差異を考慮し、編集対象面Ｄａの画像データにおける編集エリアＥＡの中心座標（ＸＭ、ＹＭ）を算出し、記憶部に記憶する（図７のステップＳ４３）。
【０１１８】
尚、図４，５のステップＳ１７，Ｓ１７ａで認識する基準位置は、マーキング画像Ｍの中心座標（Ｘｍ、Ｙｍ）や編集エリアＥＡの中心座標（ＸＭ、ＹＭ）等、編集モードでの編集エリアを特定するための位置情報であればよい。
【０１１９】
＜編集エリアの調整処理＞
次に、得られた編集対象面Ｄａの画像データにおける編集エリアＥＡの中心座標（ＸＭ、ＹＭ）とユーザーにより設定された画像編集条件とを考慮して、ユーザーが指定している編集エリア領域の補正が必要か否かを判断し、必要な場合は編集エリア範囲の調整処理を行う（図７のステップＳ４４）。
【０１２０】
編集エリア範囲の調整処理手順について図９を用いて、詳細に説明する。
【０１２１】
まず、ユーザーにより操作パネル部７で設定された指定型、指定長、指定倍率、エリア指定モードの画像編集条件を図示しない記憶部より取得する（ステップＳ７１）。指定型では、正方形型、長方形型、菱形、丸型、Ａｕｔｏの５つの選択肢がある。指定長では、主走査方向の長さＲＸと副走査方向の長さＲＹをそれぞれ（ｍｍ）単位で選択できる。尚、正方形型、丸型、Ａｕｔｏの指定型については、主走査方向Ｘのみ選択可能とする。指定倍率は、（パーセント）単位、もしくはＡｕｔｏが選択できる。
【０１２２】
尚、本実施形態では、操作パネル部７から画像編集条件（編集内容）を指示するようにしたが、これに限定するものではなく、例えば、複数種類のマーキング画像Ｍ１〜Ｍｎを用意し、各マーキング画像の形状に対して１対１で編集内容を規定した画像編集情報を規定、記憶する構成とし、そのマーキング画像を読み取ることで対応する画像編集情報を特定し、編集内容を判別するようにしても良い。
【０１２３】
次に、エリア指定モードが指定範囲拡大機能であるか否かを判断し（ステップＳ７２）、エリア指定モードが指定範囲拡大機能以外の場合は（ステップＳ７２で「Ｎｏ」）、編集エリア範囲が出力サイズ（印字用紙（シート）サイズ）を超えるか否かを判断する処理へ移行する（ステップＳ８１）。
【０１２４】
エリア指定モードが指定範囲拡大機能である場合は（ステップＳ７２で「Ｙｅｓ」）、編集エリア範囲を拡大した画像が出力サイズ（印字用紙サイズ）を超えるか否かを判断する処理へ移行する（ステップＳ７３）。
【０１２５】
編集エリア範囲を拡大した画像が出力サイズ（印字用紙サイズ）を超える場合は（ステップＳ７３で「Ｙｅｓ」）、指定型が「Ａｕｔｏ」であるか否かを判断し（ステップＳ７４）、指定型が「Ａｕｔｏ」である場合は（ステップＳ７４で「Ｙｅｓ」）、編集エリア範囲を拡大した画像が出力サイズ（印字用紙サイズ）に収まるように指定倍率を自動補正する（ステップＳ７５）。一方、指定型が「Ａｕｔｏ」でない場合は（ステップＳ７４で「Ｎｏ」）、指定倍率を優先とし、編集エリア範囲を拡大した画像が出力サイズ（印字用紙サイズ）を越える部分は無効エリアとして、その無効エリア部分は出力（印字）しないようにする（ステップＳ１２１）。
【０１２６】
また、編集エリア範囲を拡大した画像が出力サイズ（印字用紙サイズ）を超えない場合は（ステップＳ７３で「Ｎｏ」）、記憶部より取得した画像編集条件をそのまま利用する（ステップＳ１１１）。
【０１２７】
編集エリア範囲が出力サイズ（印字用紙サイズ）を超える場合は（ステップＳ８１で「Ｙｅｓ」）、指定倍率が「Ａｕｔｏ」であるか否かを判断し（ステップＳ８２）、指定倍率が「Ａｕｔｏ」である場合は（ステップＳ８２で「Ｙｅｓ」）、編集エリア範囲が出力サイズ（印字用紙サイズ）に収まるように指定長を自動補正する（ステップＳ８３）。一方、指定倍率が「Ａｕｔｏ」でない場合は（ステップＳ８２で「Ｎｏ」）、指定長を優先とし、編集エリア範囲が出力サイズ（印字用紙サイズ）を越える部分は無効エリアとして、その無効エリア部分は出力（印字）しないようにする（ステップＳ１０１）。
【０１２８】
また、編集エリア範囲が出力サイズ（印字用紙サイズ）を超えない場合は（ステップＳ８１で「Ｎｏ」）、記憶部より取得した画像編集条件をそのまま利用する（ステップＳ９１）。
【０１２９】
最後に、補正処理された画像編集条件を記憶部に記憶する（ステップＳ７６）。
【０１３０】
この編集エリア範囲の調整処理によりユーザーのマーキングにずれが生じても、画像編集処理を実現することが可能となる。ただし、本実施形態によれば、自動補正機能を実現しているが、補正手段については特に規定しない。
【０１３１】
＜エリア画像編集処理＞
図１０は、エリア画像編集処理の６通りの具体例を模式的に表している。
【０１３２】
図９では、上段に操作パネル設定情報（指定モード、指定型、指定長（ＲＸ，ＲＹ）、指定倍率）を示し、その下に編集対象面上にその指定型、指定長、指定倍率、及び編集対象面の中心点（ＸＭ，ＹＭ）を考慮した編集エリアＥＡを破線にて示した画像を示し、その下にエリア範囲調整後の設定情報を示し、下段にそのエリア範囲調整後の設定情報に基づいて編集加工された画像を示している。
【０１３３】
１つ目の例は、エリア指定モードが指定範囲削除機能であり、編集エリア範囲が出力サイズ（印字用紙サイズ）を超えない場合である（図９のステップＳ８１で「Ｎｏ」）。本実施形態では、記憶部より取得した画像編集条件をそのまま利用し（図９のステップＳ９１）、編集エリアが削除された画像が出力される。
【０１３４】
２つ目の例は、エリア指定モードが指定範囲削除機能であり、編集エリア範囲が出力サイズ（印字用紙サイズ）を超える場合である（ステップＳ８１で「Ｙｅｓ」）。本実施形態では、指定倍率を「Ａｕｔｏ」にしているので、編集エリア範囲が出力サイズ（印字用紙サイズ）に収まるように指定長を自動補正する（ステップＳ８３）。この実施例では、主走査方向の指定長ＲＸについては２０ｍｍから１６ｍｍに補正処理を行い、副走査方向の指定長ＲＹについては１０ｍｍから８ｍｍに補正処理を行う。よって、補正された編集エリア範囲が削除された画像が出力される。
【０１３５】
３つ目の例は、エリア指定モードが指定範囲抽出コピー機能であり、編集エリア範囲が出力サイズ（印字用紙サイズ）を超えない場合である（ステップＳ８１で「Ｎｏ」）。この実施例によれば、記憶部より取得した画像編集条件をそのまま利用し（ステップＳ９１）、編集エリア範囲内の画像のみがコピーされる。
【０１３６】
４つ目の例は、エリア指定モードが指定範囲抽出コピー機能であり、編集エリア範囲が出力サイズ（印字用紙サイズ）を超える場合である（ステップＳ８１で「Ｙｅｓ」）。この実施例によれば、指定倍率を１００％にしているので、指定長を優先とし、編集エリア範囲が出力サイズ（印字用紙サイズ）を越える部分は無効エリアとして、その無効エリア部分は出力（印字）しないようにする（ステップＳ１０１）。
【０１３７】
５つ目の例は、エリア指定モードが指定範囲拡大機能であり、編集エリア範囲を拡大した画像が出力サイズ（印字用紙サイズ）を超える場合である（ステップＳ７３で「Ｙｅｓ」）。この実施例によれば、指定型を正方形型にしているので、指定倍率を優先とし、編集エリア範囲を拡大した画像が出力サイズ（印字用紙サイズ）を越える部分は無効エリアとして、その無効エリア部分は出力（印字）しないようにする（ステップＳ１２１）。
【０１３８】
６つ目の例は、エリア指定モードが指定範囲拡大機能であり、編集エリア範囲を拡大した画像が出力サイズ（印字用紙サイズ）を超える場合である（ステップＳ７３で「Ｙｅｓ」）。この実施例によれば、指定型をＡｕｔｏにしているので、編集エリア範囲を拡大した画像が出力サイズ（印字用紙サイズ）に収まるように指定倍率を自動補正する（ステップＳ７５）。この実施例によれば、指定倍率を２００％から１５０％に補正処理を行う。
【０１３９】
尚、本発明は、複数の機器から構成されるシステムに適用しても、１つの機器からなる装置に適用しても良い。
【０１４０】
以上説明したように、本発明によれば、編集する原稿面の裏面側にマーキングすれば良いので、編集原稿面に対して直接マーキングする必要が無くなり、原稿の汚れを防止できる。
【０１４１】
また、本発明によれば、編集する原稿面の裏面側にマーキングするため、出力したい画像データがモノクロの場合でも、カラーの場合でも意識する必要が無いため、モノクロ複合機、カラー複合機を特定せずに所望の画像編集処理を実現することが可能となる。
【０１４２】
また、画像編集条件を最初に指示して、ユーザーはスタートキーを一度だけ押下すれば、所望の画像編集処理を実現することが可能なため、処理時間の短縮化が図れると共に、途中で出力手段を利用する必要が無いため、トナー消費量の抑制を図り、寿命の低下を防止できる。
【産業上の利用可能性】
【０１４３】
本実施形態の画像編集装置は、紙面上に形成された画像を編集（一部の削除、一部の拡大／縮小、ネガポジ反転等）した編集画像をシート上に形成、出力する装置、システムに適している。
【図面の簡単な説明】
【０１４４】
【図１】本発明の実施形態に係る画像編集装置としてのデジタル（カラー）複合機１の概略縦断面図である。
【図２】本発明の実施形態に係る画像編集装置の概略ブロック図である。
【図３】本発明の実施形態に係る画像編集処理の概略フローチャートである。
【図４】本発明の実施形態に係る編集モードで、専用画像読取装置を特定している場合の処理過程を示すフローチャートである。
【図５】本発明の実施形態に係る編集モードで、専用画像読取装置を特定していない場合の処理過程を示すフローチャートである。
【図６】本発明の実施形態に係るエリア検出処理の模式図である。
【図７】本発明の実施形態に係るエリア検出処理過程のフローチャートである。
【図８】本発明の実施形態に係る編集エリアのマーカ中心位置算出処理過程のフローチャートである。
【図９】本発明の実施形態に係る編集エリアの範囲調整処理過程のフローチャートである。
【図１０】本発明の実施形態に係るエリア画像編集処理の説明図である。
【符号の説明】
【０１４５】
１  デジタルカラー複合機（画像編集装置）
３  第１画像読取装置
４  第２画像読取装置
５  画像形成装置
７  操作パネル部
９  画像処理部
１１  エリア検出部
１３  画像編集部
１５  画像記憶部
Ｄ  原稿
Ｄａ  編集対象面（第１面）
Ｄｂ  裏面（第２面）
Ｍ  マーキング画像（第２の画像）
ＥＡ  編集エリア（編集領域）
（Ｘｍ，Ｙｍ）  マーキング画像Ｍの中心点（編集位置情報）
（ＸＭ，ＹＭ）  編集エリアＥＡの中心点（編集位置情報）
【図１】
2006148803.tif 000003
【図２】
2006148803.tif 000004
【図３】
2006148803.tif 000005
【図４】
2006148803.tif 000006
【図５】
2006148803.tif 000007
【図６】
2006148803.tif 000008
【図７】
2006148803.tif 000009
【図８】
2006148803.tif 000010
【図９】
2006148803.tif 000011
【図１０】
2006148803.tif 000012